(57)【特許請求の範囲】
【請求項１】
水容器（１）と、その上縁に着脱可能に固定する竿調整支持具（２））とから成り、、該竿調整支持具（２）は基盤（３）に二股支柱（４）をその上部間に遊転軸（５）を架設して立設し、該遊転軸（５）に対し水平以上の垂直方向回動を許容した擺動杆（６）を該擺動杆（６）の上側から螺挿した締付ネジ（７）を介して設け、該擺動杆（６）の両側に釣竿（Ｓ）を着脱自在に装着するため後方に竿径より大き目の貫筒（９）を前方に竿径より大き目の上向き抱持筒（１０）を設けた竿受杆（８）を、前記擺動杆（６）の下側から螺挿した締付ネジ（１１）を介して各別に設け、釣竿（Ｓ）を水平以上の垂直方向釣角自在に且つ各別に水平方向釣角自在に調節可能とするとともに釣竿（Ｓ）の着脱が敏速に行なえる釣用複竿支持装置。
【請求項２】
竿調整支持具（２）の基盤（３）に、水注入用口（３ａ）を設けた請求項１記載の釣用複竿支持装置。
【請求項３】
竿調整支持具（２）が、水容器（１）の上縁に締付けネジ（１４）を介して固定される請求項１又は２記載の釣用複竿支持装置。
【請求項４】
二股支柱（４）が、締付けネジ（１２）を介して竿調整支持具（２）の基盤（３）に立設される請求項１乃至３のうちいずれか一項記載の釣用複竿支持装置。
【発明の詳細な説明】
【０００１】
【発明が属する技術分野】
本発明は、釣中に竿を手放しておける竿支持装置に関する。
【０００２】
【従来の技術】
これまでに釣竿を水平、垂直方向に支持できる装置として船釣り用のものが提案されている（実開平６−４６４８１）。
しかしその態様は、船体に取付ける手段として提供されたものであるから、基部の構造については具体的提示がなく、また旋回台が基底を成しているので複数の竿を装着して各別に水平方向旋回調節はできない。また船釣のため竿は後端部で固定される形式になっている。
この形式では、川岸釣、海岸釣には適用されないことは言うまでもない。
【０００３】
【発明が解決しようとする課題】
本発明は、川岸釣、海岸釣用を狙いとし、装置総体の安定性を釣現場において汲み取った水に依存し、その水を注入した容器をベ−スに、複数の釣竿Ｓを垂直方向自在、水平方向各別自在に調節可能とし、さらに竿の着脱が敏速に行なえる支持装置を提供しようとする。
【０００４】
【課題を解決するための手段】
上記目的を達成するため、本発明は、水容器１と、その上縁に着脱可能に固定する竿調整支持具２とから成る。
前記竿調整支持具２は、基盤３に二股支柱４をその上部間に遊転軸５を架設して立設する。そして該遊転軸５に対し水平以上の垂直方向回動を許容した擺動杆６を該擺動杆６の上側から遊転軸５に向けて螺挿した締付ネジ７を介して設ける。
そしてさらに前記擺動杆６の両側には、釣竿Ｓを着脱自在に装着するため後方に竿径より大き目の貫筒９を前方に竿径より大き目の上向き抱持筒１０を設けた竿受杆８を、前記擺動杆６の下側から該竿受杆８に向けて螺挿した締付ネジ１１、１１を介して各別に設ける。
これにより、釣竿Ｓを水平以上の垂直方向釣角自在に、且つ各別に水平方向釣角自在に調節可能とするとともに釣竿Ｓの着脱が敏速に行なえる釣用複竿支持装置である。
【０００５】
また上記構成において、竿調整支持具２の基盤３に水注入用口３ａを設けた釣用複竿支持装置である。
【０００６】
さらに上記各構成において、竿調整支持具２が水容器１の上縁に締付けネジ１４を介して固定される釣用複竿支持装置である。
【０００７】
さらにまた上記各構成において、二股支柱４が締付けネジ１２を介して竿調整支持具２の基盤３に立設される釣用複竿支持装置である。
【０００８】
【発明の作用】
本発明は、以上のように構成されるから、釣の現場の適宜場所に水容器１を安置し、その上縁に竿調整支持具２を組み立てる。即ち基盤３が取付けられ、二股支柱４が立設される（図１の状態）。図１の実施の形態においては、左右二本の釣竿Ｓがセットできる（図５）。
【０００９】
さて、釣に際しては、釣現場の地理的条件や釣人の流儀に倣い、釣竿Ｓの垂直方向釣角（上下高さ）を遊転軸５を締付けている締付ネジ７を操作して所望に調節し（図３）、、また左右二本の釣竿Ｓの水平方向釣角（旋回位置）を締付ネジ１１、１１を操作して竿ごとに所望に調節する（同位角でもよいこともちろんである）（図２）。
これらの操作により、竿受杆８が調節方向に連動する。
【００１０】
そして、釣竿Ｓを竿受杆８をその後端部を竿受杆８の貫筒９に斜め前方から差し込み、同時にその前方附近部を上向き抱持筒１０に押し込む（図５）。
この場合、貫筒９も上向き抱持筒１０も竿径より大き目の径を有するから、釣竿Ｓは極めて敏速に着脱が可能である。
なお釣竿Ｓをセット後に前記垂直方向釣角（上下高さ）と水平方向釣角（旋回位置）の調節を行なってもよいこともちろんである。
【００１１】
【発明の効果】
以上から本発明装置によれば、現場において簡単に組み立てられ、現場で得られる水をウエイトとした水容器により岸辺に安定状態で設置できる。
そして、竿受杆８の貫筒９及び上向き抱持筒１０が、竿径より大き目の径を有するから、釣竿Ｓは極めて敏速に着脱可能であり、且つ貫筒９が作用して釣竿Ｓが弾け出ることが防止される。
そしてさらに、締付ネジ７の操作で複数の釣竿Ｓの垂直方向釣角（上下高さ）を所望に調節できるとともに締付ネジ１１の操作で複数の釣竿Ｓごとの水平方向釣角（旋回位置）を所望に調節することができるので、釣場の地理的条件や釣人の流儀に適合させ、釣果を挙げることに資する。
総じて、安心して竿を手放せるので、釣人の休憩、リラックスに資する。
【００１２】
【発明の実施の形態】
水容器１と、その上縁に締付けネジ１４を介して着脱可能に固定する竿調整支持具２とから成り、、該竿調整支持具２は基盤３に水注入用口３ａを設けるとともに上部間に遊転軸５を架設した二股支柱４を締付けネジ１２により立設し、該遊転軸５に対し水平以上の垂直方向回動を許容した擺動杆６を該擺動杆６の上側から螺挿した締付ネジ７を介して設け、該擺動杆６の両側に釣竿Ｓを着脱自在に装着するため後方に竿径より大き目の貫筒９を前方に竿径より大き目の上向き抱持筒１０を設けた竿受杆８を、前記擺動杆６の下側から螺挿した締付ネジ１１を介して各別に設け、釣竿Ｓを水平以上の垂直方向釣角自在に且つ各別に水平方向釣角自在に調節可能とするとともに釣竿Ｓの着脱が敏速に行なえる釣用複竿支持装置を構成する。
なお図１において１５は基盤３に必要に応じて附属される餌台である。
【図面の簡単な説明】
【図１】斜視図
【図２】竿受杆の水平方向旋回動作を示す平面図
【図３】竿受杆の垂直方向回動動作を示す平面図
【図４】縦断正面図
【図５】釣竿を装着した状態の斜視図
【符号の説明】
１      水容器
２      竿調整支持具
３      基盤
３ａ    水注入用口
４      二股支柱
５      遊転軸
６      擺動杆
７      締付ネジ
８      竿受杆
９      貫筒
１０      上向き抱持筒
１１      締付けネジ
１２      締付けネジ
１４      締付ネジ
１５      餌台
Ｓ      釣竿
【図１】
0003807692.tif 000002
【図２】
0003807692.tif 000003
【図３】
0003807692.tif 000004
【図４】
0003807692.tif 000005
【図５】
0003807692.tif 000006